(57)【特許請求の範囲】
【請求項１】
粘着剤が付着された粘着フィルムの粘着面に捕獲される飛翔性の害虫の写真を予め載せると共に、載せられる害虫の写真を少なくとも２つ以上として、倍率が１倍のものから、ルーペで見る大きさの数倍から数１０倍に拡大した複数のものを載せることを特徴とする粘着トラップ。
【請求項２】
捕獲される害虫であって、捕獲後の所定の日数を経過した写真を載せることを特徴とする請求項１記載の粘着トラップ。
【請求項３】
捕獲される害虫であって、前記ルーペで見る拡大した大きさの写真に並んで、更に拡大した写真を載せることを特徴とする請求項１記載の粘着トラップ。
【請求項４】
害虫として、一種類のみならず、複数種が載せられることを特徴とする請求項１，２又は３記載の粘着トラップ。
【発明の詳細な説明】
【技術分野】
【０００１】
この発明は、粘着剤を用いて飛翔性農業害虫や衛生害虫の捕獲用の粘着トラップに関するものである。
【背景技術】
【０００２】
粘着剤が付着されたフィルムを用いて飛翔性農業害虫をその粘着剤の粘着力にて捕獲するものが公知である。公知文献と特許文献１及び特許文献２がある。この特許文献１では、多孔質リボンに粘着剤を含浸させ、そのリボンをジグザグに折り畳んで皿状容器内に収納し、蓋体で密閉して構成され、使用時には蓋体を引き上げると、折り畳まれた粘着リボンが伸び、直線状となり、使用出来るように成っている。
【０００３】
また、特許文献２では、粘着フィルムに飛翔農業害虫の種類による特定の色が着色されると共に、粘着フィルムの外周囲に黒の色彩枠を付した構成で、飛翔農業害虫に対する誘引効果を増大させるようにしている。
【特許文献１】実公昭５８−８０５９号公報
【特許文献２】特開２０００−４７５４号公報
【発明の開示】
【発明が解決しようとする課題】
【０００４】
粘着トラップは、害虫の発生を予察（モニタリング）したり、防除目的として害虫を大量に捕殺することが出来る。実際に害虫の発生をモニタリングするためには、粘着トラップに捕らえられた害虫の種類を同定する必要がある。
【０００５】
例えば農業害虫の同定を行うためには、ある程度経験が必要である。さらに粘着トラップに捕らえられた農業害虫は、死後の過時により外見の変化が起こっており、これの同定にはさらに経験が必要とされる。また、粘着トラップに捕獲される飛翔農業害虫として、例えばコナジラミ類、アブラムシ類、ハモグリバエ類、アザミウマ類などを挙げることが出来るが、これらの農業害虫は小さく、体長が１ｍｍ以下のものも多く、肉眼では見えづらく、コナジラミ類では、白い点のように見えてしまう。
【０００６】
このため、同定には実体顕微鏡またはルーペを用いる。この際、図鑑等を用いてそこに載っている農業害虫例を比較することで種類を確認する。そのため、同定は栽培現場では行えず、室内で行われるため、即時性に欠ける不具合があった。
【０００７】
このため、この発明は、粘着トラップに捕獲された農業害虫のみならず衛生害虫（以下害虫という）の同定を現場にて且つ容易に同定することを目的とする。
【課題を解決するための手段】
【０００８】
この発明に係る粘着トラップは、粘着剤が付着された粘着フィルムの該粘着面に捕獲される飛翔性の害虫の写真を予め載せると共に、載せられる害虫の写真を少なくとも２つ以上として、倍率が１倍のものから、ルーペで見る大きさの数倍から数１０倍に拡大した複数のものを載せることを特徴としている（請求項１）。
【０００９】
これにより、粘着トラップの粘着面に捕獲された害虫と、同じく粘着面上に載せられた害虫の写真と比較することから、即座に同定できる。特にルーペで見る倍率に合わせた害虫の写真があることから、同じ大きさにて比較検討が容易となる。なお、害虫の写真を倍率を異にする２つ載せているが、これに限らず３つなど複数のものを載せることが出来る。
【００１０】
また、捕獲される害虫であって、捕獲後の所定の日数を経過した写真を載せることが好ましい（請求項２）。これにより、死後数日を過ぎると変化する害虫の同定も容易となる。
【００１１】
さらに、捕獲される害虫であって、前記ルーペで見る拡大した大きさの写真に並んで、更に拡大した写真を載せることが好ましい。これにより、害虫を詳細に確認、検討が出来る。
【００１２】
さらにまた、害虫として、一種類のみならず複数種が載せることが好ましく（請求項４）、粘着トラップに捕獲される害虫が一種類でないことが多く、その場合には、種類別に同定が出来る。
【発明の効果】
【００１３】
以上のように、この発明によれば、粘着トラップの粘着面に載せられた害虫と捕獲された害虫の写真と直ちに比較でき、しかもルーペで拡大した写真をも載せているので、同定は極めて容易となり、現場にて比較・同定することが可能となる（請求項１）。
【００１４】
また、害虫の死後数日を過ぎた例も載せてあるから、同定も容易である（請求項２）。また、ルーペで見る拡大した大きさの写真に並んで更に拡大した写真を載せるため、詳細に検討が出来るものである（請求項３）。そして、複数の害虫が捕獲されることが多く、これにも対処するために、複数種の害虫を載せている（請求項４）。
【発明を実施するための最良の形態】
【００１５】
図１において、この発明の実施例が示され、粘着トラップ１は、帯状の粘着フィルム２の一面又は両面に粘着剤が添付されると共に、この粘着面に飛翔性害虫である農業害虫の写真４が印刷されて載せられて構成されている。
【００１６】
前記粘着フィルム２は、布又は合成樹脂にて製造され、縦長のものであり、例えば捕獲する飛翔性農業害虫（以下農業害虫という）の好む色、例えばコナジラミ類では、黄色に着色されているし、またアザミウマ類では、青に着色されている。
【００１７】
前記粘着フィルム２の表面（粘着面）に、前述したように農業害虫の写真４が印刷されて載せられているが、該農業害虫の写真４は、粘着フィルム２に粘着剤が付着される前に印刷されることは勿論である。その印刷された農業害虫が捕獲直後で現実の大きさである１倍のもの４ａ、農業害虫の大きさが１倍であるが捕獲されてから数日を経過したもの４ｂが示されている。
【００１８】
また、ルーペで拡大した大きさ（３倍から１０倍程）の捕獲直後で現実の大きさのもの５ａ、農業害虫の大きさ（３倍から１０倍程）の捕獲されてから数日を経過したもの５ｂが示されている。これにより、ルーペにて拡大した農業害虫と同等の大きさにて対比が出来ることから、捕獲された農業害虫の同定が容易となる。捕獲後数日を過ぎたものでも、一倍のもの４ｂ、ルーペで拡大のもの５ｂがあり、比較して、捕獲された農業害虫の同定は容易となる。
【００１９】
なお、実施例では、ルーペで拡大した大きさのものを一つ載せているが、２つなど複数載せても良いことは勿論である。また、ルーペで拡大した大きさよりも更に拡大した大きさのもの６（２０〜３０倍）をも示していて、農業害虫を詳細に確認出来るようにしている。
【００２０】
さらに、粘着トラップ１に捕獲される農業害虫が複数の場合もあり、この実施例ではアブラムシ７が１倍で示されている。しかし、載せられていないが、ルーペで拡大された大きさのものも示しても良いことは勿論である。さらにまた、この実施例にあっては、農業害虫の例を示しているが、これに限らず、ハエなどの衛生害虫にも適用できること勿論であり、その場合には、写真を衛生害虫とすることで対応が可能である。
【図面の簡単な説明】
【００２１】
【図１】この発明の実施例の正面図である。
【符号の説明】
【００２２】
１  粘着トラップ
２  粘着フィルム
４  農業害虫の写真
４ａ  捕獲直後の農業害虫で１倍のもの
４ｂ  捕獲後数日を経過した１倍のもの
５ａ  ルーペで拡大した大きさで捕獲直後の農業害虫
５ｂ  ルーペで拡大した大きさで捕獲後数日を経過した農業害虫
６  ルーペで拡大した大きさよりも更に拡大した農業害虫
７  アブラムシの写真
【図１】
0004936130.tif 000002